(57)【要約】【課題】容器内部の熱媒体から筆記体の前端までの迅速な伝熱性が長時間にわたり得られ、長時間の高い熱変色性能を維持することができる変色具及び変色具の使用方法を提供する。【解決手段】熱変色性対象物の熱変色層に接触または筆記して所望の熱変色像を得る変色具であって、熱媒体が収容可能な容器２と、前記容器２の前端開口部に着脱自在に取り付けられるホルダー３と、前記ホルダー３に固定された伝熱性の筆記体４とを備える。筆記体４の前端部が、前記ホルダー３の前端より前方に突出される。容器２の前端開口部にホルダー３が取り付けられた状態において、筆記体４の後端部が、容器２の前端より後方の容器２内部に延設される。【選択図】  図１
2019104243.tif 000002
【特許請求の範囲】
【請求項１】
熱変色性対象物の熱変色層に接触または筆記して所望の熱変色像を得る変色具であって、
熱媒体が収容可能な容器と、
前記容器の前端開口部に着脱自在に取り付けられるホルダーと、
前記ホルダーに固定された伝熱性の筆記体と、を備え、
前記筆記体の前端部が、前記ホルダーの前端より前方に突出され、且つ、前記容器の前端開口部に前記ホルダーが取り付けられた状態において、前記筆記体の後端部が、前記容器の前端より後方の前記容器内部に延設されてなることを特徴とする変色具。
【請求項２】
前記筆記体の後端部が、前記ホルダーの後端より後方に延設されてなる請求項１に記載の変色具。
【請求項３】
前記筆記体の外面と前記ホルダーの内面との間にパッキンが介在され、
前記パッキンの外面に環状係止部が形成され、前記ホルダーの内面に環状段部が形成され、前記パッキンの外面の環状係止部の前面が前記ホルダーの内面の環状段部に前後方向に当接され、
前記筆記体の前部の外面に、環状の後向き係止壁部と、その後方に環状の前向き係止壁部が形成され、
前記後向き係止壁部に前記ホルダーの内壁が係止され、前記前向き係止壁部に前記パッキンの内壁が係止される請求項１または２に記載の変色具。
【請求項４】
熱変色性対象物の熱変色層に接触または筆記して所望の熱変色像を得る変色具であって、
熱媒体が収容可能な本体と、
前記本体に固定された伝熱性の筆記体と、を備え、
前記筆記体の前端部が前記本体の前端より前方に突出され、
前記本体内部に熱媒体が収容可能な熱媒体収容部が形成され、
前記筆記体の後端部が、前記本体の前端より後方に延設され且つ前記熱媒体収容部の後部に位置されてなることを特徴とする変色具。
【請求項５】
熱変色性対象物の熱変色層に接触または筆記して所望の熱変色像を得る変色具であって、
熱媒体が収容可能な容器と、
前記容器の前端に固定された伝熱性の筆記体と、
前記容器の後端開口部に着脱自在に取り付けられる尾栓と、を備え、
前記筆記体の前端部が、前記容器の前端より前方に突出され、
前記容器と前記尾栓とにより熱媒体が収容可能な熱媒体収容部が形成され、
前記筆記体の後端部が、前記容器の前端より後方に延設され且つ前記熱媒体収容部の後部に位置されてなることを特徴とする変色具。
【請求項６】
前記容器の外周面または前記本体の外周面に断熱性のグリップが設けられる請求項１乃至５の何れかに記載の変色具。
【請求項７】
熱変色性対象物の熱変色層に接触または筆記して所望の熱変色像を得る変色具の使用方法であって、
前記変色具が、熱媒体が収容可能な容器と、前記容器の前端開口部に着脱自在に取り付けられるホルダーと、前記ホルダーに固定された伝熱性の筆記体と、を備え、
前記熱媒体としての水を前記容器内に収容した後、前記ホルダーを前記容器の前端開口部に取り付け、その状態の前記変色具を冷蔵庫または冷凍庫に入れて前記変色具の内部の水を冷却または冷凍させ、その後、前記変色具の筆記体の前端部を用いて前記熱変色層に接触または筆記する変色具の使用方法。
【請求項８】
前記変色具は、前記筆記体の前端部が、前記ホルダーの前端より前方に突出され、且つ、前記容器の前端開口部に前記ホルダーが取り付けられた状態において、前記筆記体の後端部が、前記容器の前端より後方の前記容器内部に延設されてなる請求項７に記載の変色具の使用方法。
【請求項９】
前記筆記体の後端部が、前記ホルダーの後端より後方に延設されてなる請求項７または８に記載の変色具の使用方法。
【請求項１０】
熱変色性対象物の熱変色層に接触または筆記して所望の熱変色像を得る変色具の使用方法であって、
前記変色具が、熱媒体が収容可能な容器と、前記容器の後端開口部に着脱自在に取り付けられる尾栓と、前記容器に固定された伝熱性の筆記体と、を備え、
前記熱媒体としての水を前記容器内に収容した後、前記尾栓を前記容器の後端開口部に取り付け、その状態の前記変色具を冷蔵庫または冷凍庫に入れて前記変色具の内部の水を冷却または冷凍させ、その後、前記変色具の筆記体の前端部を用いて前記熱変色層に接触または筆記する変色具の使用方法。
【発明の詳細な説明】
【技術分野】
【０００１】
本発明は、変色具及び変色具の使用方法に関する。詳細には、熱変色性対象物の熱変色層に接触または筆記して所望の熱変色像を得る変色具及び変色具の使用方法に関する。
【背景技術】
【０００２】
従来、特許文献１には、熱変色性対象物の熱変色層に接触あるいは筆記して所望の熱変色像を得る変色具において、温水、冷水、氷片等の熱媒体が収容可能な容器と、前記容器端部に取り付けられる伝熱性の筆記体とからなり、前記筆記体の先端部を容器外部に突出させ、前記筆記体の後端部を容器内部に突出させてなる変色具が開示されている。
【先行技術文献】
【特許文献】
【０００３】
【特許文献１】実用新案登録第２５８７３９９号
【発明の概要】
【発明が解決しようとする課題】
【０００４】
前記特許文献１の変色具は、容器内部の熱媒体から筆記体の前端までの迅速な伝熱性が得られない。前記特許文献１の変色具は、例えば、熱変色層に速いスピードで連続筆記した際、容器内部の熱媒体からの熱が筆記体前端まで迅速に供給されず、熱変色層に筆跡途切れが発生するおそれがある。
【０００５】
また、前記特許文献１の変色具は、熱媒体の温度が放熱により短時間で常温になり、長時間の熱変色性能を維持することが困難である。
【０００６】
本発明は、前記従来の問題点を解決するものであって、容器内部の熱媒体から筆記体の前端までの迅速な伝熱性が長時間にわたり得られ、長時間の高い熱変色性能を維持することができる変色具及び変色具の使用方法を提供しようとするものである。
【０００７】
尚、本発明で、「前」とは、筆記体が外部に突出する側を指し、「後」とは、その反対側を指す。本発明で熱媒体の「熱」とは、常温より高い温度の熱のほか、常温より低い冷熱を含む。
【課題を解決するための手段】
【０００８】
本願の第１の発明は、熱変色性対象物の熱変色層に接触または筆記して所望の熱変色像を得る変色具であって、熱媒体が収容可能な容器と、前記容器の前端開口部に着脱自在に取り付けられるホルダーと、前記ホルダーに固定された伝熱性の筆記体と、を備え、前記筆記体の前端部が、前記ホルダーの前端より前方に突出され、且つ、前記容器の前端開口部に前記ホルダーが取り付けられた状態において、前記筆記体の後端部が、前記容器の前端より後方の前記容器内部に延設されてなることを要件とする。
【０００９】
前記第１の発明の変色具は、前記筆記体の前端部が、前記ホルダーの前端より前方に突出され、且つ、前記容器の前端開口部に前記ホルダーが取り付けられた状態において、前記筆記体の後端部が、前記容器の前端より後方の前記容器内部に延設されてなることにより、容器内部の熱媒体から筆記体の前端までの迅速な伝熱性が長時間にわたり得られ、長時間の高い熱変色性能を維持することができる。
【００１０】
本願の第２の発明は、前記第１の発明の変色具において、前記筆記体の後端部が、前記ホルダーの後端より後方に延設されてなることを要件とする。
【００１１】
前記第２の発明の変色具は、前記筆記体の後端部が、前記ホルダーの後端より後方に延設されてなることにより、ホルダーを容器の前端開口部に取り付ける際、ホルダーの後端より後方に延設される筆記体の後端部が、容器の前端開口部に先に挿入されガイドとなるため、ホルダーの後端開口部と容器の前端開口部を確実に合致させて取り付けることができる。それにより、ホルダーの後端開口部と容器の前端開口部との不完全な取付状態となることがなく、その結果、変色具の使用時に容器内から熱媒体が外部に漏出することを回避できる。
【００１２】
本願の第３の発明は、前記第１または第２の発明の変色具において、前記筆記体の外面と前記ホルダーの内面との間にパッキンが介在され、前記パッキンの外面に環状係止部が形成され、前記ホルダーの内面に環状段部が形成され、前記パッキンの外面の環状係止部の前面が前記ホルダーの内面の環状段部に前後方向に当接され、前記筆記体の前部の外面に、環状の後向き係止壁部と、その後方に環状の前向き係止壁部が形成され、前記後向き係止壁部に前記ホルダーの内壁が係止され、前記前向き係止壁部に前記パッキンの内壁が係止されることを要件とする。
【００１３】
前記第３の発明の変色具は、前記構成により、前記後向き係止壁部に前記ホルダーの前端部内壁が係止されることによって、筆記体の後方への抜け止めがなされ、前記前向き係止壁部に前記パッキンの内壁が係止されることによって、筆記体の前方への抜け止めがなされる。それにより、ホルダーと筆記体がパッキンを介して強固に固定され、落下等の衝撃でも筆記体がホルダーから脱落するおそれがない。
【００１４】
本願の第４の発明は、熱変色性対象物の熱変色層に接触または筆記して所望の熱変色像を得る変色具であって、熱媒体が収容可能な本体と、前記本体に固定された伝熱性の筆記体と、を備え、前記筆記体の前端部が前記本体の前端より前方に突出され、前記本体内部に熱媒体が収容可能な熱媒体収容部が形成され、前記筆記体の後端部が、前記本体の前端より後方に延設され且つ前記熱媒体収容部の後部に位置されてなることを要件とする。  
【００１５】
前記第４の発明の変色具は、前記筆記体の後端部が、前記本体の前端より後方に延設され且つ前記熱媒体収容部の後部に位置されてなることにより、容器内部の熱媒体から筆記体の前端までの迅速な伝熱性が長時間にわたり得られ、長時間の高い熱変色性能を維持することができる。
【００１６】
本願の第５の発明は、熱変色性対象物の熱変色層に接触または筆記して所望の熱変色像を得る変色具であって、熱媒体が収容可能な容器と、前記容器の前端に固定された伝熱性の筆記体と、前記容器の後端開口部に着脱自在に取り付けられる尾栓と、を備え、前記筆記体の前端部が、前記容器の前端より前方に突出され、前記容器と前記尾栓とにより熱媒体が収容可能な熱媒体収容部が形成され、前記筆記体の後端部が、前記容器の前端より後方に延設され且つ前記熱媒体収容部の後部に位置されてなることを要件とする。
【００１７】
前記第５の発明の変色具は、前記筆記体の後端部が、前記容器の前端より後方に延設され且つ前記熱媒体収容部の後部に位置されてなることにより、容器内部の熱媒体から筆記体の前端までの迅速な伝熱性が長時間にわたり得られ、長時間の高い熱変色性能を維持することができる。
【００１８】
本願の第６の発明は、前記第１乃至５の何れかの発明の変色具において、前記容器の外周面または前記本体の外周面に断熱性のグリップが設けられることを要件とする。
【００１９】
前記第６の発明の変色具は、前記容器の外周面または前記本体の外周面に断熱性のグリップが設けられることにより、時間経過に伴い熱媒体の熱が容器外壁から外部（例えば手や外気等）に放熱されることを回避し、長時間、安定した熱変色性能を維持できる。
【００２０】
本願の第７の発明は、熱変色性対象物の熱変色層に接触または筆記して所望の熱変色像を得る変色具の使用方法であって、前記変色具が、熱媒体が収容可能な容器と、前記容器の前端開口部に着脱自在に取り付けられるホルダーと、前記ホルダーに固定された伝熱性の筆記体と、を備え、前記熱媒体としての水を前記容器内に収容した後、前記ホルダーを前記容器の前端開口部に取り付け、その状態の前記変色具を冷蔵庫または冷凍庫に入れて前記変色具の内部の水を冷却または冷凍させ、その後、前記変色具の筆記体の前端部を用いて前記熱変色層に接触または筆記することを要件とする。
【００２１】
前記第７の発明の変色具の使用方法は、熱媒体としての水を収容した変色具自体を冷蔵庫または冷凍庫に入れるため、冷蔵庫または冷凍庫から変色具を取り出した後、即座に変色具を使用することができ、熱媒体（例えば氷、冷水等）を容器に入れる作業の時間が不要となり、熱媒体の熱の損失を出来る限り少なくでき、容器内部の熱媒体から筆記体の前端までの迅速な伝熱性が長時間にわたり得られ、長時間の高い熱変色性能を維持することができる。
【００２２】
本願の第８の発明は、前記第７の発明の変色具の使用方法において、前記変色具は、前記筆記体の前端部が、前記ホルダーの前端より前方に突出され、且つ、前記筆記体の後端部が、前記容器の前端開口部に前記ホルダーが取り付けられた状態において、前記容器の前端より後方の前記容器内部に延設されてなることを要件とする。
【００２３】
前記第８の発明の変色具の使用方法は、前記筆記体の前端部が、前記ホルダーの前端より前方に突出され、且つ、前記容器の前端開口部に前記ホルダーが取り付けられた状態において、前記筆記体の後端部が、前記容器の前端より後方の前記容器内部に延設されてなることにより、容器内部の熱媒体から筆記体の前端までの迅速な伝熱性が長時間にわたり得られ、長時間の高い熱変色性能を維持することができる。
【００２４】
本願の第９の発明は、前記第７または第８の発明の変色具の使用方法において、前記筆記体の後端部が、前記ホルダーの後端より後方に延設されてなることを要件とする。
【００２５】
前記第９の発明の変色具の使用方法は、前記筆記体の後端部が、前記ホルダーの後端より後方に延設されてなることにより、ホルダーを容器の前端開口部に取り付ける際、ホルダーの後端より後方に延設される筆記体の後端部が、容器の前端開口部に先に挿入されガイドとなるため、ホルダーの後端開口部と容器の前端開口部を確実に合致させて取り付けることができる。それにより、ホルダーの後端開口部と容器の前端開口部との不完全な取付状態となることがなく、その結果、変色具の使用時に容器内から熱媒体が外部に漏出することを回避できる。
【００２６】
本願の第１０の発明は、熱変色性対象物の熱変色層に接触または筆記して所望の熱変色像を得る変色具の使用方法であって、前記変色具が、熱媒体が収容可能な容器と、前記容器の後端開口部に着脱自在に取り付けられる尾栓と、前記容器に固定された伝熱性の筆記体と、を備え、前記熱媒体としての水を前記容器内に収容した後、前記尾栓を前記容器の後端開口部に取り付け、その状態の前記変色具を冷蔵庫または冷凍庫に入れて前記変色具の内部の水を冷却または冷凍させ、その後、前記変色具の筆記体の前端部を用いて前記熱変色層に接触または筆記することを要件とする。
【００２７】
前記第１０の発明の変色具の使用方法は、熱媒体としての水を収容した変色具自体を冷蔵庫または冷凍庫に入れるため、冷蔵庫または冷凍庫から変色具を取り出した後、即座に変色具を使用することができ、熱媒体（例えば氷、冷水等）を容器に入れる作業の時間が不要となり、熱媒体の熱の損失を出来る限り少なくでき、容器内部の熱媒体から筆記体の前端までの迅速な伝熱性が長時間にわたり得られ、長時間の高い熱変色性能を維持することができる。
【発明の効果】
【００２８】
本発明の変色具は、容器内部の熱媒体から筆記体の前端までの迅速な伝熱性が長時間にわたり得られ、長時間の高い熱変色性能を維持することができる。
【００２９】
本発明の変色具の使用方法は、容器内部の熱媒体から筆記体の前端までの迅速な伝熱性が長時間にわたり得られ、長時間の高い熱変色性能を維持することができる。
【図面の簡単な説明】
【００３０】
【図１】本発明の第１の実施の形態の変色具の縦断面図である。
【図２】図１のホルダーの縦断面図である。
【図３】図１の容器の縦断面図である。
【図４】図１の変色具のグリップを備えた形態の縦断面図である。
【図５】本発明の第２の実施の形態の変色具の縦断面図である。
【図６】図５の変色具の容器と尾栓の分離状態を示す縦断面図である。
【図７】図５の変色具のグリップを備えた形態の縦断面図である。
【発明を実施するための形態】
【００３１】
＜第１の実施の形態＞
本発明の第１の実施の形態を図１乃至図４に示す。
【００３２】
本実施の形態の変色具１は、熱媒体が収容可能な容器２と、容器２の前端開口部に着脱自在に取り付けられるホルダー３と、ホルダー３に固定された伝熱性の筆記体４と、を備える。具体的には、容器２の前端開口部とホルダー３が螺着される。容器２とホルダー３とにより本体１１が構成される。本体１１内部（容器２とホルダー３とにより構成される内部空間）に熱媒体が収容可能な熱媒体収容部１２が形成される。
【００３３】
・容器
容器２は、前端が開口され且つ後端が閉鎖された有底筒体である。容器２は、合成樹脂または金属からなり、合成樹脂製の場合は、ブローの成形体（例えばポリプロピレン、ポリエチレンのブロー成形体）から得られ、金属製の場合、プレス加工（例えば、アルミニウムの深絞り加工）により得られる。容器２の前端部は縮径され、その外面に雄ネジ部２１が形成される。前記容器２の横断面形状は、円、楕円、多角形（例えば、正３角形、正方形、正５角形、正６角形等）が挙げられる。
【００３４】
・ホルダー
ホルダー３は、合成樹脂（例えばポリプロピレン、ポリエチレン）の射出成形体により得られる。ホルダー３は、前方が先細状に縮径された円筒体からなり、具体的には、前端部の小径部３１と、該小径部３１の後方に連設され且つ小径部３１より大きい外径を有する中径部３２と、該中径部３２の後方に連設され且つ中径部３２より大きい外径を有する大径部３３とからなる。ホルダー３の前部（小径部３１）の内面には、筆記体４の取付壁部３４（具体的には横断面円形状の取付孔）が形成され、取付壁部３４に筆記体４が圧入される。ホルダー３の後部（大径部３３）の内面には、雌ネジ部３５が形成される。ホルダー３の雌ネジ部３５の前方の内面（中径部３２後端と大径部３３前端の間のホルダー３内面）には、パッキン５の環状係止部５２が当接可能な環状段部３６が形成される。ホルダー３の雌ネジ部３５は、容器２の雄ネジ部２１と螺合可能である。
【００３５】
・筆記体
筆記体４は、金属製の棒状体であり、その横断面形状は、円形状、楕円、多角形形状等が挙げられる。前記筆記体４を構成する金属材料としては、銅もしくは銅合金（例えば真鍮）、アルミニウムもしくはアルミニウム合金、ステンレス鋼等が挙げられる。また、筆記体４の表面にはメッキ加工等の防錆処理を施すこともできる。筆記体４の前端は、凸曲面状に形成される。筆記体４の前端部４１の後方の前部外周面には、一定幅の環状凹部４２が形成される。筆記体４の環状凹部４２に、ホルダー３の取付壁部３４が係合される。具体的には、ホルダー３の取付壁部３４の前端が環状凹部４２の前端（後向き係止壁部４２ａ）と係合される。
【００３６】
筆記体４の後端部は、ホルダー３の後端より後方に延設され、且つ、ホルダー３を容器２の前端開口部に取り付けた状態において容器２の前端から後方に延設され、容器２内部に収容される。筆記体４の容器２前端から後方に延設される部分の長手方向の長さは、容器２の前端開口端から底面までの長手方向の最大深さの半分以上が好ましい。筆記体４の容器２前端から後方に延設される部分は、容器２の軸心に配置されている。また、筆記体４の後端部は、熱媒体収容部１２の後部（即ち後半部）に位置されることが好ましい。さらには、筆記体４の後端部は、熱媒体収容部１２の後端部または熱媒体収容部１２の後端部近傍に位置されることが好ましい。
【００３７】
筆記体４の容器２前端から後方に延設される部分の体積は、ホルダー３を容器２の前端開口部に取り付けた状態における容器２内の体積（即ち、熱媒体収容部１２の体積、または筆記体４の容器２前端から後方に延設される部分の体積を除いた容器２内部体積）より小さいことが好ましい。それにより、十分な熱媒体の充填量を確保でき、高い熱変色性能が維持される。
【００３８】
また、筆記体４の容器２前端から後方に延設される部分の体積は、ホルダー３を容器２の前端開口部に取り付けた状態における容器２内の体積（即ち、熱媒体収容部１２の体積、または筆記体４の容器２前端から後方に延設される部分の体積を除いた容器２内部体積）の１０％以上が好ましい。それにより、容器２内部の熱媒体から筆記体４の前端までの迅速な伝熱性が得られる。
【００３９】
・パッキン
パッキン５は、合成樹脂（例えば、ポリエチレン）の射出成形体により得られる。パッキン５は、前部が先細状に縮径された円筒体からなる。パッキン５は、筒状前部５１と、該筒状前部５１より後方の外面に形成される鍔状の環状係止部５２と、該環状係止部５２より後方に延設される筒状後部５３とからなる。筒状前部５１の内面（具体的には筒状前部５１の前端部内面）には、筆記体４の環状凹部４２に係合可能な環状凸部５４が形成される。環状凸部５４が筆記体４の環状凹部４２に係合される。具体的には、環状凸部５４の後端が環状凹部４２の後端（前向き係止壁部４２ｂ）と係合される。尚、前記環状凸部５４より後方の筒状前部５１の内面が筆記体４の外面に嵌合可能とすることもできる。
また、パッキンは、単一または複数の環状の弾性体（例えば、Ｏリング等）から構成することもできる。
【００４０】
また、パッキン５と筆記体４との係止部分（環状凸部５４）が、環状係止部５２より前方に位置され、ホルダー３が容器２の前端開口部に取り付けられた状態において前記パッキン５と筆記体４との係止部分（環状凸部５４）が容器２内部に収容されない。それにより、容器２内部の容量を減少させず、熱媒体の充填量を多くすることができる。
【００４１】
・グリップ
容器２の外周面には、断熱性のグリップ６が設けられる。断熱性のグリップ６を構成する材料としては、具体的には、合成樹脂の多孔質体（発泡体）、繊維、木、竹、不織布、紙（段ボール）等が挙げられる。断熱性のグリップ６の形状は、容器２の外面に装着可能であればよく、具体的には、筒状（横断面環状、もしくは横断面Ｃ字状）、らせん状が挙げられる。グリップ６は、容器２の露出される全側壁外面を被覆するように設けられる。または、グリップ６は、容器２の露出される全外壁面（容器２の全側壁外面及び底壁外面）を被覆するよう設けられる。グリップ６は、容器２の外周面または本体１１の外周面に着脱自在に設けられる。
【００４２】
・筆記体とホルダーの組立
筆記体４、ホルダー３、及びパッキン５の組み立てを説明する。
ホルダー３の前端を下向きにし、ホルダー３の後端開口より、ホルダー３内にパッキン５を挿入する。この時、パッキン５の環状係止部５２が、ホルダー３の環状段部３６に当接され、ホルダー３内に収容される。次に、ホルダー３の後端開口より筆記体４の前端部４１を挿入し、筆記体４の前端部４１（環状凹部４２より前方に位置する径方向外方に膨出された膨出形状部）がホルダー３の取付壁部３４及びパッキン５の環状凸部５４を乗り越え、その後、筆記体４の環状凹部４２にホルダー３の取付壁部３４及びパッキン５の環状凸部５４が係合される。それにより、３つの部品（筆記体４、ホルダー３、及びパッキン５）が、互いに固定され、一体化される。
【００４３】
・ホルダーと容器の組立
容器２に熱媒体としての水を収容した後、筆記体４が固定されたホルダー３を容器２の前端部に装着し、容器２の雄ネジ部２１とホルダー３の雌ネジ部３５とを螺合させる。ホルダー３を容器２の前端部に装着する際、筆記体４のホルダー３の後端より後方に延設される部分が容器２の開口部にガイドされ、確実にホルダー３の雌ネジ部３５と容器２の雄ネジ部２１とを螺合させることができる。ホルダー３と容器２の前記組立により、内部に熱媒体が収容された変色具が用意される。
【００４４】
特に、ホルダー３を容器２の前端開口部に取り付ける前に、容器２内に熱媒体を充満させ、その容器２の前端開口部にホルダー３を装着させると、容器２内に挿入される筆記体４の後方延設部分が容器２内の余剰の熱媒体を押し出すため、ホルダー３取り付け後、容器２内に熱媒体をほぼ充満させることができる。それにより、一層、長時間の高い熱変色性能を得ることができる。
【００４５】
容器２の前端部にホルダー３を螺着することにより、パッキン５の環状係止部５２が、ホルダー３内面の環状段部３６と容器２の前端とにより前後に挟持され、容器２とパッキン５との間における熱媒体の漏出が防止される。また、筆記体４の環状凹部４２と、パッキン５の環状凸部５４及び環状凸部５４後方のパッキン５内面とが液密嵌合されるか、または筆記体４の環状凹部４２と環状凸部５４後方のパッキン５内面とが液密嵌合され、それにより、筆記体４とパッキン５との間における熱媒体の漏出が防止される。
【００４６】
・使用方法
内部に水を収容した前記変色具を、冷凍庫に一定時間、入れて前記変色具の内部の水を冷却または冷凍させる。その後、前記変色具の筆記体４の前端部４１を用いて熱変色層に接触または筆記する。また、内部に水を収容した前記変色具を、冷蔵庫に一定時間、入れて前記変色具の内部の水を冷却させる。その後、前記変色具の筆記体４の前端部４１を用いて熱変色層に接触または筆記する。
【００４７】
本実施の形態の変色具は、前記筆記体の後端部が、前記本体１１の前端より後方に延設され且つ前記熱媒体収容部１２の後部に位置されてなることにより、容器２内部の熱媒体から筆記体の前端までの迅速な伝熱性が長時間にわたり得られ、長時間の高い熱変色性能を維持することができる。
【００４８】
本実施の形態の変色具は、筆記体４の前端部４１がホルダー３の前端より前方に突出され、且つ、容器２の前端開口部にホルダー３が取り付けられた状態において、筆記体４の後端部が容器２の前端より後方の容器２内部に延設されてなることにより、容器２内部の熱媒体から筆記体４の前端までの迅速な伝熱性が長時間にわたり得られ、長時間の高い熱変色性能を維持することができる。
【００４９】
本実施の形態の変色具は、筆記体４の後端部が、ホルダー３の後端より後方に延設されてなることにより、ホルダー３の後端開口部を容器２の前端開口部に装着させる際、ホルダー３の後端より後方に延設される筆記体４の後端部が、容器２の前端開口部に先に挿入されガイドとなるため、ホルダー３の後端開口部と容器２の前端開口部を確実に合致させて装着させることができる。それにより、ホルダー３の後端開口部と容器２の前端開口部との不完全な装着状態となることがなく、その結果、変色具の使用時に容器２内から熱媒体が外部に漏出することを回避できる。
【００５０】
本実施の形態の変色具は、筆記体４の外面とホルダー３の内面との間にパッキン５が介在され、パッキン５の外面に環状係止部５２が形成され、ホルダー３の内面に環状段部３６が形成され、パッキン５の外面の環状係止部５２の前面がホルダー３の内面の環状段部３６に前後方向に当接され、筆記体４の前部の外面に、環状の後向き係止壁部４２ａと、その後方に環状の前向き係止壁部４２ｂが形成され、後向き係止壁部４２ａにホルダー３の内壁（取付壁部３４の前端）が係止され、前向き係止壁部４２ｂにパッキン５の内壁（環状凸部５４の後端）が係止されることにより、後向き係止壁部４２ａにホルダー３の前端部内壁が係止されることによって筆記体４の後方への抜け止めがなされ、前向き係止壁部４２ｂにパッキン５の内壁が係止されることによって筆記体４の前方への抜け止めがなされる。それにより、ホルダー３と筆記体４がパッキン５を介して強固に固定され、落下等の衝撃でも筆記体４がホルダー３から脱落するおそれがない。
【００５１】
本実施の形態の変色具は、容器２の外周面に断熱性のグリップ６が設けられることにより、時間経過に伴い熱媒体の熱が容器２外壁から外部に放熱されることを回避し、長時間、安定した熱変色性能を維持できる。
【００５２】
本実施の形態の変色具の使用方法は、熱媒体を収容した変色具自体を直接、冷蔵庫または冷凍庫に入れるため、冷蔵庫または冷凍庫から変色具を取り出した後、即座に変色具を使用することができ、熱媒体（例えば氷、冷水等）を容器２に入れる作業の必要がなく、熱媒体の熱の損失を出来る限り少なくでき、より一層、熱変色性の長時間の維持が可能となる。特に、本実施の形態の変色具の使用方法は、熱媒体としての水を収容した変色具自体を冷凍庫に入れ、変色具内部の水を冷凍する場合、変色具の内部形状に沿った一つの大きな氷が変色具内に収容された状態にすることができ、高い熱変色性能の長時間の維持が可能となる。
【００５３】
＜第２の実施の形態＞
本発明の第２の実施の形態を図５に示す。
【００５４】
本実施の形態の変色具１は、熱媒体が収容可能な容器２と、容器２の前端に固定された伝熱性の筆記体４と、容器２の後端開口部に着脱自在に取り付けられる尾栓７と、を備える。容器２と尾栓７とにより本体１１が構成され、本体１１内部（容器２と尾栓７とにより構成される内部空間）に熱媒体が収容可能な熱媒体収容部１２が形成される。
【００５５】
・容器
容器２は、両端が開口された円筒体である。容器２は、合成樹脂または金属からなり、合成樹脂製の場合は、ブローの成形体（例えばポリプロピレン、ポリエチレンのブロー成形体）から得られ、金属製の場合、プレス加工（例えば、アルミニウムの深絞り加工）により得られる。
【００５６】
容器２の前端部の内面には、筆記体４の取付壁部２２（具体的には横断面円形状の取付孔）が形成され、取付壁部２２に筆記体４が圧入される。
【００５７】
・筆記体
筆記体４は、金属製の棒状体であり、その横断面形状は、円形状、楕円、多角形形状等が挙げられる。前記筆記体４を構成する金属材料としては、銅もしくは銅合金（例えば真鍮）、アルミニウムもしくはアルミニウム合金、ステンレス鋼等が挙げられる。また、筆記体４の表面にはメッキ加工等の防錆処理を施すこともできる。筆記体４の前端は、凸曲面状に形成される。筆記体４の前端部４１の後方の前部外周面には、一定幅の環状凹部４２が形成される。筆記体４の環状凹部４２に、容器２の取付壁部２２が係合される。具体的には、容器２の取付壁部２２の前端が環状凹部４２の前端（後向き係止壁部４２ａ）と係合される。容器２の取付壁部２２の後端が環状凹部４２の後端（前向き係止壁部４２ｂ）と係合される。容器２の取付壁部２２の後端と環状凹部４２の後端との間には、環状弾性体からなるパッキン５が前後に挟持され、熱媒体の漏出が防止される。
【００５８】
筆記体４の後端部は、容器２の前端より後方に延設され、容器２内部に収容される。筆記体４の容器２前端から後方に延設される部分の長手方向の長さは、容器２の前端開口端から尾栓７の底面までの長手方向の最大深さの半分以上が好ましい。筆記体４の容器２前端から後方に延設される部分は、容器２の軸心に配置されている。また、筆記体４の後端部は、熱媒体収容部１２の後半部に位置されることが好ましい。さらには、筆記体４の後端部は、熱媒体収容部１２の後端部または熱媒体収容部１２の後端部近傍に位置されることが好ましい。
【００５９】
筆記体４の容器２前端から後方に延設される部分の体積は、筆記体４を容器２の前端部に取り付けた状態における容器２内部及び尾栓７内部の体積（即ち、熱媒体収容部１２の体積、または筆記体４の容器２前端から後方に延設される部分の体積を除いた容器２内部及び尾栓７内部の体積）より小さいことが好ましい。それにより、十分な熱媒体の充填量を確保でき、高い熱変色性能が維持される。
【００６０】
また、筆記体４の容器２前端から後方に延設される部分の体積は、筆記体４を容器２の前端部に取り付けた状態における容器２内部及び尾栓７内部の体積（即ち、熱媒体収容部１２の体積、または筆記体４の容器２前端から後方に延設される部分の体積を除いた容器２内部及び尾栓７内部の体積）の１０％以上が好ましい。それにより、熱媒体収容部１２内部（容器２内部及び尾栓７内部）の熱媒体から筆記体４の前端までの迅速な伝熱性が得られる。
【００６１】
・尾栓
尾栓７は、容器２の後端開口部内面に嵌合または螺合により着脱自在に取り付けられる。尾栓７は有底円筒体からなり、合成樹脂（例えばポリプロピレン、ポリエチレン）の射出成形体により得られる。尾栓７は、大径部７１と、該大径部より前方に一体に連設される小径部７２とを備える。大径部７１（把持部）が容器２の後端より後方に露出され、小径部７２が容器の後端開口部に密接される。尚、尾栓７は、容器２の後端開口部外面に着脱自在に取り付ける構成でもよい。
【００６２】
・グリップ
容器２の外周面には、第１の実施の形態と同様、断熱性のグリップ６が設けられる。断熱性のグリップ６を構成する材料としては、具体的には、合成樹脂の多孔質体（発泡体）、繊維、木、竹、不織布、紙（段ボール）等が挙げられる。断熱性のグリップ６の形状は、容器２の外面に装着可能であればよく、具体的には、筒状（横断面環状、もしくは横断面Ｃ字状）、らせん状が挙げられる。グリップ６は、容器２の略全側壁外面を被覆するように設けられる。または、グリップ６は、容器２及び尾栓７の露出される全外壁面（容器２の全側壁外面、尾栓７の側壁及び底壁外面）を被覆するよう設けられる。グリップ６は、容器２の外周面または本体１１の外周面に着脱自在に設けられる。
【００６３】
・筆記体と容器の組立
筆記体４の環状凹部４２にパッキン５を取り付けた後、容器２の後端開口部より筆記体４の前端部４１を挿入し、筆記体４の前端部４１（環状凹部４２より前方に位置する径方向外方に膨出された膨出形状部）が容器２の取付壁部２２を乗り越え、その後、筆記体４の環状凹部４２に容器２の取付壁部２２が係合される。それにより、筆記体４、容器２、及びパッキン５が、互いに固定され、一体化される。
【００６４】
・容器と尾栓の組立
容器２内部に後端開口部より熱媒体としての水を注入した後、容器２の後端開口部に尾栓７を取り付ける。容器２と尾栓７の組立により、内部に熱媒体が収容された変色具が用意される。
【００６５】
・使用方法
内部に水を収容した前記変色具を、冷凍庫に一定時間、入れて前記変色具の内部の水を冷却または冷凍させる。その後、前記変色具の筆記体４の前端部４１を用いて熱変色層に接触または筆記する。また、内部に水を収容した前記変色具を、冷蔵庫に一定時間、入れて前記変色具の内部の水を冷却させる。その後、前記変色具の筆記体４の前端部４１を用いて熱変色層に接触または筆記する。
【００６６】
本実施の形態の変色具は、前記筆記体４の後端部が、本体１１の前端より後方に延設され且つ前記熱媒体収容部１２の後部に位置されてなることにより、容器２内部の熱媒体から筆記体の前端までの迅速な伝熱性が長時間にわたり得られ、長時間の高い熱変色性能を維持することができる。
【００６７】
本実施の形態の変色具は、前記筆記体の後端部が、前記容器２の前端より後方に延設され且つ前記熱媒体収容部１２の後部に位置されてなることにより、容器２内部の熱媒体から筆記体４の前端までの迅速な伝熱性が長時間にわたり得られ、長時間の高い熱変色性能を維持することができる。
【００６８】
本実施の形態の変色具は、容器２の外周面に断熱性のグリップ６が設けられることにより、時間経過に伴い熱媒体の熱が容器２外壁から外部に放熱されることを回避し、長時間、安定した熱変色性能を維持できる。
【００６９】
本実施の形態の変色具の使用方法は、熱媒体を収容した変色具自体を直接、冷蔵庫または冷凍庫に入れるため、冷蔵庫または冷凍庫から変色具を取り出した後、即座に変色具を使用することができ、熱媒体（例えば氷、冷水等）を容器２に入れる作業の必要がなく、熱媒体の熱の損失を出来る限り少なくでき、より一層、熱変色性の長時間の維持が可能となる。特に、本実施の形態の変色具の使用方法は、熱媒体としての水を収容した変色具自体を冷凍庫に入れ、変色具内部の水を冷凍する場合、変色具の内部形状に沿った一つの大きな氷が変色具内に収容された状態にすることができ、高い熱変色性能の長時間の維持が可能となる。
【符号の説明】
【００７０】
１  変色具
１１  本体
１２  熱媒体収容部
２  容器
２１  雄ネジ部
２２  取付壁部
３  ホルダー
３１  小径部
３２  中径部
３３  大径部
３４  取付壁部
３５  雌ネジ部
３６  環状段部
４  筆記体
４１  前端部
４２  環状凹部
４２ａ  後向き係止壁部
４２ｂ  前向き係止壁部
５  パッキン
５１  筒状前部
５２  環状係止部
５３  筒状後部
５４  環状凸部
６  グリップ
７  尾栓
７１  大径部
７２  小径部
【図１】
2019104243.tif 000003
【図２】
2019104243.tif 000004
【図３】
2019104243.tif 000005
【図４】
2019104243.tif 000006
【図５】
2019104243.tif 000007
【図６】
2019104243.tif 000008
【図７】
2019104243.tif 000009